(57)【要約】【課題】条件装置の作動に係る特定の領域を有する装置における抽選に関する演出において、遊技者に高揚感を与えることが可能な弾球遊技機を提供すること。【解決手段】遊技球が発射される遊技盤と、遊技盤に設けられ、条件装置の作動に係る特定領域を有する振り分け手段であって、振り分け手段に供給された遊技球を、特定領域と特定領域以外の領域とに振り分ける振り分け手段とを備え、振り分け手段は、複数の可動部材を有し、複数の可動部材の１つに特定領域が形成されており、振り分け手段は、複数の可動部材が合体することにより組み上がり、かつ複数の可動部材が組み上がった状態から分離するように構成され、遊技盤に設けられた所定の入賞口に遊技球が入賞した後のいずれかのタイミングで、分離された可動部材が合体するように構成されていることを特徴とする弾球遊技機が提供される。【選択図】図２
2015171485.tif 000002
【特許請求の範囲】
【請求項１】
遊技球が発射される遊技盤と、
前記遊技盤に設けられ、条件装置の作動に係る特定領域を有する振り分け手段であって、該振り分け手段に供給された遊技球を、前記特定領域と該特定領域以外の領域とに振り分ける振り分け手段とを備え、
前記振り分け手段は、複数の可動部材を有し、
前記複数の可動部材の１つに前記特定領域が形成されており、
前記振り分け手段は、前記複数の可動部材が合体することにより組み上がり、かつ前記複数の可動部材が該組み上がった状態から分離するように構成され、前記遊技盤に設けられた所定の入賞口に遊技球が入賞した後のいずれかのタイミングで、前記分離された可動部材が合体するように構成されていることを特徴とする弾球遊技機。
【請求項２】
前記複数の可動部材を収納する収納室をさらに備え、
前記複数の可動部材は、前記合体時以外は前記収納室内に収納されることを特徴とする請求項１に記載の弾球遊技機。
【請求項３】
前記収納室は、前記弾球遊技機前に座った遊技者からは見えない位置に設けられていることを特徴とする請求項２に記載の弾球遊技機。
【発明の詳細な説明】
【技術分野】
【０００１】
本発明は弾球遊技機に関する。
【背景技術】
【０００２】
パチンコ機とも呼ばれる弾球遊技機においては、操作ハンドルの回動操作により遊技球が遊技盤に発射され、遊技盤に打ち込まれた釘や回転部材などに接触しながら落下し、遊技盤に設けられた、遊技球の、条件装置の作動に係る特定領域（Ｖゾーン）通過（Ｖ作動）が行われる役物（以降、「Ｖ作動役物」とも呼ぶ）に遊技球が入ることで、特定領域通過（Ｖ作動）のチャンスが得られる弾球遊技機（ハネモノ弾球遊技機）がある（特許文献１参照）。
【０００３】
この弾球遊技機は、Ｖ作動役物の内部に、複数の振り分け穴を有する円盤状回転体（以降、「回転体役物」とも呼ぶ）が設けられている。この回転体役物に形成された穴の少なくとも１つは、条件装置の作動に係る特定領域であるので、上記回転体役物は、条件装置の作動に係る特定領域を有する装置（以降、「Ｖ振り分け装置」とも呼ぶ）と言える。そして、遊技球が何れかの振り分け穴に入ったことが検出されると、それぞれの検出位置に応じた処理が実行される。例えば、特定領域（Ｖゾーン）に対応する穴を遊技球が通過すると、大当たり処理が実行される。
【先行技術文献】
【特許文献】
【０００４】
【特許文献１】特開２００２−３３６４５３号公報
【発明の概要】
【発明が解決しようとする課題】
【０００５】
Ｖ振り分け装置としての上記回転体役物は、同一の形で、Ｖ作動役物内において常に同一の位置にあり、常に同じ動きをしている。従って、大当たりに関連した回転体役物における演出は遊技を通じて毎回同じ展開であり、単純で飽きやすいと言える。すなわち、遊技の当選に直結する役物（回転体役物）の演出であるので、遊技者に対して程良い高揚感を与える役物演出があると、抽選が決まる前の段階でも遊技者に対して遊技の面白みを提供することができ、より好ましいであろう。
【０００６】
また、回転体役物は上述のように、遊技盤において常に同じ位置にあり、かつ遊技者が見えるように配置されている。よって、大当たりを左右する回転体役物を用いた演出の際に、遊技者に最初から見えている物を用いるので、遊技者にとっての特別感は小さいと言っても過言ではない。よって、折角、回転体役物に遊技球が入る状況になっても、大当たり当選への盛り上がり（高揚感）が高まり難いかもしれない。
【０００７】
そこで、本発明は上記事情に鑑み、条件装置の作動に係る特定の領域を有する装置における抽選に関する演出において、遊技者に高揚感を与えることが可能な弾球遊技機の提供を目的とする。
【課題を解決するための手段】
【０００８】
一つの案では、遊技球が発射される遊技盤と、前記遊技盤に設けられ、条件装置の作動に係る特定領域を有する振り分け手段であって、該振り分け手段に供給された遊技球を、前記特定領域と該特定領域以外の領域とに振り分ける振り分け手段とを備え、前記振り分け手段は、複数の可動部材を有し、前記複数の可動部材の１つに前記特定領域が形成されており、前記振り分け手段は、前記複数の可動部材が合体することにより組み上がり、かつ前記複数の可動部材が該組み上がった状態から分離するように構成され、前記遊技盤に設けられた所定の入賞口に遊技球が入賞した後のいずれかのタイミングで  、前記分離された可動部材が合体するように構成されていることを特徴とする弾球遊技機が提供される。
【発明の効果】
【０００９】
一態様によれば、条件装置の作動に係る特定の領域を有する装置における抽選に関する演出において、遊技者に高揚感を与えることが可能である。
【図面の簡単な説明】
【００１０】
【図１】本発明の一実施形態に係る弾球遊技機を示す正面図である。
【図２】本発明の一実施形態に係るＶ振り分け装置の分離動作を示す斜視図である。
【図３】本発明の一実施形態に係るＶ振り分け装置の合体動作を示す斜視図である。
【図４】本発明の一実施形態に係るＶ振り分け装置の動作手順を模式的に示す図である。
【図５】本発明の一実施形態に係る弾球遊技機の制御系を示すブロック図である。
【図６】本発明の一実施形態に係るＶ振り分け装置の変動動作を模式的に示す図である。
【図７】本発明の一実施形態に係るＶ振り分け装置の変形例１を模式的に示す図である。
【図８】本発明の一実施形態に係るＶ振り分け装置の変形例２を模式的に示す図である。
【発明を実施するための形態】
【００１１】
以下、図面を参照して本発明を実施するための形態について説明する。
【００１２】
〔実施形態１〕
図１は本発明の実施形態１に係る弾球遊技機を示す正面図である。図１に示されるように、弾球遊技機１０は、所謂「パチンコ機」と称される遊技機であり、前面枠２０及び前面ガラス枠３０の内側には、遊技盤２４が設けられている。遊技盤２４には、複数釘により遊技球の落下経路が形成され、且つ第１入賞口２５、第２入賞口２６、大入賞口２７やイベント表示用の液晶表示部（ＬＣＤ）２８、Ｖ作動役物７０が設けられている。なお、該Ｖ作動役物７０とは、特定領域（Ｖゾーン）を有するＶ振り分け装置１００（後述）を備え、遊技球の導入口において、第１入賞口２５または第２入賞口２６への遊技球の入賞により開閉する可動入賞装置（羽）としての上部蓋部材９２が設けられる役物である。
【００１３】
大入賞口２７は、大当たり発生時（特定領域通過（Ｖ作動）時）、遊技球が入賞可能となる入賞口である。すなわち、第１入賞口２５または第２入賞口２６に遊技球が入賞することにより開く上部蓋部材９２を介して遊技球導入部９０に保持された後、Ｖ作動役物７０内に投下された遊技球がＶ作動役物７０の内部に設けられた不図示の特定領域（Ｖゾーン）を通過した場合に、大入賞口２７の上部入口が、抽選結果に応じたラウンド数だけ開閉される。このタイミングで、大入賞口２７に対し、遊技球を入賞させることが可能になる。尚、上記第１入賞口２５、第２入賞口２６、大入賞口２７の位置や配置数は、適宜変更可能であり、図１ではその一例を示している。
【００１４】
尚、本実施形態では、大入賞口２７を設けているが、大入賞口２７を設けず、大入賞口の機能をＶ作動役物７０に持たせても良い。この場合は、特定領域通過（Ｖ作動）により、所定のラウンド数だけ上部蓋部材９２が開閉し、Ｖ作動役物７０に入った遊技球に応じた数だけ遊技球を払い出す。さらには、Ｖ作動役物７０を大入賞口として機能することに加えて、大入賞口２７を設けても良い。
【００１５】
また、下部パネル６０には、遊技球の受け皿４０及び遊技球を発射操作する操作ハンドル５０が設けられている。
【００１６】
本実施形態では、液晶表示部２８は、Ｖ作動役物７０内に設けられている。液晶表示部２８は、２枚の液晶パネル２８Ａ，２８Ｂを有する。液晶パネル２８Ａ，２８Ｂは、開閉可能な扉状に構成されており、裏側（内側）には後述するＶ振り分け装置（図１では、液晶表示部２８によって隠れて見えない）が収納される役物収納室８０が設けられている。
【００１７】
また、液晶表示部２８の左側上端（Ｖ作動役物７０の遊技球導入口）には、「羽根口」として機能する遊技球導入部９０が設けられている。この遊技球導入部９０は、遊技球導入部９０の上部開口を第１入賞口２５または第２入賞口２６への遊技球の入賞に応じて開閉する上部蓋部材９２と、Ｖ振り分け装置１００の組み立て状況に応じて遊技球導入部９０の下部開口を開閉する下部蓋部材９４と、Ｖ作動役物７０に入賞されたことを検知する羽根口スイッチ３３０（図１では不図示）とを有する。また、遊技球導入部９０の上部蓋部材９２及び下部蓋部材９４は、後述する羽根口駆動機構により開又は閉位置に駆動される。
【００１８】
上部蓋部材９２は、上部開口を閉塞する閉位置と、上部開口を開放する開位置との何れかに位置するように動作する。本実施形態においては、第１入賞口２５に遊技球が入ったことが検出されると上部蓋部材９２が１回開き、第２入賞口２６に遊技球が入ったことが検出されると上部蓋部材９２が２回開く。この上部蓋部材９２が開いたときに遊技球が遊技球導入部９０に入ることができ、そのとき、後述するＶ振り分け装置１００が組み上がっていない場合、下部蓋部材９４が下部開口を閉じているため、Ｖ作動役物７０の内部において遊技球が保持される。
【００１９】
また、下部蓋部材９４は、遊技球導入部９０の下部開口を閉じることで遊技球導入部９０に入った遊技球が落下しないように保持している。なお、上記下部蓋部材９４が閉状態となり遊技球を保持する場合においては、該保持された遊技球がＶ作動役物７０の内部に位置するように下部蓋部材９４は構成されている。また、遊技球導入部９０に遊技球が入ったことが羽根口スイッチ３３０により検出されると、液晶パネル２８Ａ，２８Ｂが開き、その奥の役物収納室８０に収納された、分解状態の各可動部材を有するＶ振り分け装置１００（バラバラ状態のＶ振り分け装置１００の構成部材）が、遊技盤２４の前側に移動して、遊技者の目の前に出現する。次いで、遊技者の目の前に出現したＶ振り分け装置１００の分解状態の各可動部材が、遊技者の目の前で合体して組み上がる。そして、Ｖ振り分け装置１００が組みあがると、下部蓋部材９４が下部開口を開くことにより、それまで保持していた遊技球を遊技球導入部９０の下方に移動したＶ振り分け装置１００に投下する。これにより、Ｖ振り分け装置１００においては、例えば特定領域通過又は外れの抽選が行われる。尚、特定領域通過（Ｖ作動）は、条件装置の作動（大当たり）を発生させるものである。また、上記液晶パネル２８Ａ、２８Ｂは、遊技盤２４の内側（裏側）に配置された役物収納室８０を開閉するための扉を兼ねており、左右方向に開いた場合には、遊技盤２４の裏面に対向する位置に移動するため、遊技者からは見えなくなる。
【００２０】
なお、本実施形態では、分解状態のＶ振り分け装置１００の組み上げ開始のタイミングを、遊技球導入部９０に遊技球が保持された時としているが、これに限らない。例えば、該タイミングを、第１入賞口２５または第２入賞口２６への入賞を検知したタイミング、すなわち、羽としての上部蓋部材９２が開くタイミングと同期して設定しても良い。本実施形態では、第１入賞口２５または第２入賞口２６に遊技球が入賞する前には、遊技者に隠れて見えなかったＶ振り分け装置１００が、所定のタイミングで遊技者の目の前で組み上がり、特定領域通過をするか否かのためにＶ作動役物７０に導入された遊技球が、該都度で組み立てられたＶ振り分け装置１００に供給されることが本質であり、該本質事項が実現されれば、上記所定のタイミングはいずれであっても良いのである。
【００２１】
〔Ｖ振り分け装置の構成、動作〕
図２は本発明の実施形態１に係るＶ振り分け装置１００の分離動作を示す斜視図である。図２に示されるように、Ｖ振り分け装置１００は、前後方向に移動可能な移動ベース１１０と、移動ベース１１０に搭載された複数の可動部材１２０Ａ〜１２０Ｄとを有する。また、移動ベース１１０には、各可動部材１２０Ａ〜１２０Ｄを対角方向に移動させるためのガイド溝１３０Ａ〜１３０Ｄが放射状に設けられている。
【００２２】
各可動部材１２０Ａ〜１２０Ｄは、後述する役物駆動機構により移動ベース１１０の周縁部（外側）と中心部（内側）との間でスライドすることで、分離状態（図２示す動作状態）又は合体状態（図３に示す動作状態）に変化する。また、移動ベース１１０の左右側面には、左右方向に延在する一対の回動軸１４０Ａ、１４０Ｂが結合されている。従って、一対の回動軸１４０Ａ、１４０Ｂが９０°の角度で回動されると、移動ベース１１０は、垂直状態から水平状態に移行し、又は水平状態から垂直状態に移行する。さらに、一対の回動軸１４０Ａ、１４０Ｂは、前後方向にも移動可能に支持されており、液晶パネル２８Ａ，２８Ｂが開いた後、役物収納室８０から前進して移動ベース１１０を遊技盤２４の前側に移動させ、遊技者から各可動部材１２０Ａ〜１２０Ｄの動作を見やすくする。
【００２３】
図３は本発明の実施形態１に係るＶ振り分け装置１００の合体動作を示す斜視図である。図３に示されるように、移動ベース１１０が役物収納室８０から遊技盤２４の前側に移動した後、各可動部材１２０Ａ〜１２０Ｄは、ガイド溝１３０Ａ〜１３０Ｄにガイドされて移動ベース１１０の周縁部から中心部に向けて移動する。そして、各可動部材１２０Ａ〜１２０Ｄは、移動ベース１１０の中心部で合体した組み上がり状態で停止する。これにより、各可動部材１２０Ａ〜１２０Ｄが合体した、特定領域（Ｖゾーン）を有する役物合体ユニット１２０が出来上がる。特定領域（Ｖゾーン）とは、各可動部材１２０Ａ〜１２０Ｄのそれぞれに設けられた４個の孔部１５０Ａ〜１５０Ｄのうちの何れか一つのことであり、本実施形態においては、孔部１５０Ｄが特定領域（Ｖゾーン）となる。また、それ以外の孔部１５０Ａ〜１５０Ｃは、特定領域ではなく、外れ領域となる。
【００２４】
また、各可動部材１２０Ａ〜１２０Ｄは、外周側の縁部より低い中心側の位置に遊技球が貫通する孔部１５０Ａ〜１５０Ｄが設けられている。この孔部１５０Ａ〜１５０Ｄには、遊技球が入ったことを検出し、役物外れ信号を出力する役物外れスイッチ３４０、又は役物当選信号を出力する役物当選スイッチ３５０（図５参照）が設けられている。尚、役物外れスイッチ３４０及び役物当選スイッチ３５０としては、遊技球が接触した場合に各信号を出力する接触式スイッチでも良いし、あるいは光センサなどのように遊技球の存在を光学的に検出する非接触式スイッチでも良い。
【００２５】
本実施形態では、孔部１５０Ｄが特定領域（Ｖゾーン）に対応する。よって、孔部１５０Ｄには、遊技球が特定領域通過（Ｖ作動）したことを検知する役物当選スイッチ３５０が設けられている。また、特定領域以外の領域である孔部１５０Ａ〜１５０Ｃには、遊技球が特定領域通過しなかったことを検知する役物外れスイッチ３４０が設けられている。図３に示すような合体後に形成される役物合体ユニット１２０に供給された遊技球は、孔部１５０Ａ〜１５０Ｄのいずれか１つに導入されるので、特定領域（Ｖゾーン）または特定領域以外の領域を通過することになる。よって、役物合体ユニット１２０は、遊技球を、条件装置の作動に係る特定領域（Ｖゾーン）、またはそれ以外の領域に振り分ける装置として機能する。
【００２６】
可動部材１２０Ａには切欠き部１５１Ａが設けられており、孔部１５０Ａと切欠き部１５１Ａとは貫通孔１５２Ａにより連通されている。よって、孔部１５０Ａに入った遊技球は、貫通孔１５２Ａを通過して切欠き部１５１Ａから排出される。同様に、可動部材１２０Ｂ〜１２０Ｄの各々にも、切欠き部１５１Ｂ〜１５１Ｄ、および貫通孔１５２Ｂ〜１５２Ｄが設けられている。一方、移動ベース１１０には、孔部１６０、１７０、および孔部１６０と孔部１７０とを連通する貫通孔１８０が設けられている。よって、孔部１７０に入った遊技球は、貫通孔１８０を通って孔部１６０から排出される。なお、図２において、移動ベース１１０は、孔部１６０が形成された面が、遊技者と対向する側（遊技盤２４の裏側）を向いている。
【００２７】
このような構成において、図３に示されるように可動部材１２０Ａ〜１２０Ｄが合体して役物合体ユニット１２０が組み上がった際に遊技球が該役物合体ユニット１２０に供給される場合、遊技球は孔部１５０Ａ〜１５０Ｄのいずれかに入る。該合体時には、切欠き部１５１Ａ〜１５１Ｄも一体となり、該一体となった切欠き部集合体は、孔部１７０に連通する。よって、孔部１５０Ａ〜１５０Ｄのいずれか１つから導入された遊技球は、貫通孔１５２Ａ〜１５２Ｄのうち対応する貫通孔を通り、切欠き部集合体および孔部１７０を介して移動ベース１１０内に入り、貫通孔１８０を通って孔部１６０から排出される。孔部１６０から排出された遊技球は、遊技盤２４の裏側に設けられた排出路（不図示）に排出される。
【００２８】
尚、図２、図３においては、説明の便宜上、Ｖ振り分け装置１００を水平状態にして示しているが、各可動部材１２０Ａ〜１２０Ｄの合体動作及び分離動作は、移動ベース１１０が水平方向に延在する水平状態、垂直方向に延在する垂直状態、水平方向に対して所定角度傾斜する傾斜方向に延在する傾斜状態の何れかの状態のときに行うことも可能である。
【００２９】
ここで、上記Ｖ振り分け装置１００の動作について説明する。
【００３０】
図４は本発明の実施形態１に係るＶ振り分け装置の動作手順を模式的に示す図である。図４（Ａ）に示されるように、第１入賞口２５又は第２入賞口２６に遊技球が入ると、遊技球導入部９０の上部開口を開閉する上部蓋部材９２が上方に開く。そして、遊技球が遊技球導入部９０の上部開口から中に入ると、上部蓋部材９２が閉じて球技球を遊技球導入部９０に保持する。
【００３１】
次に、図４（Ｂ）に示されるように、遊技球が遊技球導入部９０に保持されたタイミングで液晶パネル２８Ａ，２８Ｂが左右離間方向にスライドして開き、その奥の役物収納室８０に収納されたＶ振り分け装置１００が露出した状態になる。このとき、Ｖ振り分け装置１００は、各可動部材１２０Ａ〜１２０Ｄが外側に分離している（図２参照）。また、移動ベース１１０は、役物収納室８０に収納されるときは、垂直状態になっており、収納時の奥行き寸法が小さくなるようにして省スペース化に対応している。上記液晶パネル２８Ａ、２８Ｂがスライド移動した後、可動部材１２０Ａ〜１２０Ｄが分解状態のまま移動ベース１１０は前進（遊技者側に水平移動）して停止する。
【００３２】
続いて、図４（Ｃ）に示されるように、各可動部材１２０Ａ〜１２０Ｄは、ガイド溝１３０Ａ〜１３０Ｄにガイドされて移動ベース１１０の周縁部から中心部に向けて移動する。そして、各可動部材１２０Ａ〜１２０Ｄは、移動ベース１１０の中心部で合体する（図３参照）。すなわち、第１入賞口２５又は第２入賞口２６への入賞前には、遊技者には見えなかったＶ振り分け装置１００が、遊技者の目の前で分解状態から合体状態に組み上がる。
【００３３】
次に、図４（Ｄ）に示されるように、各可動部材１２０Ａ〜１２０Ｄが搭載された移動ベース１１０は、一対の回動軸１４０Ａ、１４０Ｂを中心に９０度回動されて垂直状態から水平状態に変化する。さらに、各可動部材１２０Ａ〜１２０Ｄが合体した役物合体ユニット１２０の上方に遊技球投下部材１９０も移動する。
【００３４】
遊技球投下部材１９０は、内部に遊技球が通過する通路を有するパイプからなり、外側端部１９２が遊技球導入部９０の下部開口に接近し、内側端部１９４が役物合体ユニット１２０の中心上方に位置している。
【００３５】
図４（Ｅ）に示されるように、遊技球導入部９０の下部蓋部材９４が開くと、遊技球導入部９０に保持されていた遊技球が遊技球投下部材１９０の内部通路を通過して役物合体ユニット１２０の中心付近に投下される。
【００３６】
そして、役物合体ユニット１２０の中心付近に投下された遊技球は、転がりながら各可動部材１２０Ａ〜１２０Ｄに設けられた孔部１５０Ａ〜１５０Ｄの何れかに嵌合する。遊技球が嵌合した、孔部１５０Ａ〜１５０Ｄによって特別入賞又は外れの何れかが選択される。
【００３７】
このように、Ｖ振り分け装置１００は、遊技球導入部９０に遊技球が入るまでは、液晶パネル２８Ａ、２８Ｂの裏側に隠れており、遊技球導入部９０に遊技球が入ったことが検出されると、液晶パネル２８Ａ、２８Ｂが左右離間方向に移動して遊技者から見えるように変化する。そのため、Ｖ振り分け装置１００の存在によって遊技盤２４及び液晶表示部２８などがスペース的な制約を受けることがなく、遊技盤２４上の各部材の配置を自由に変更することも可能である。また、遊技中に遊技者の目の前でＶ振り分け装置１００が遊技盤２４の裏側から前側に移動して各可動部材１２０Ａ〜１２０Ｄが合体動作を行うことにより、遊技者が驚きながら、大当たりになるかもといった期待感が上昇してより盛り上がることで、遊技にのめり込むことができる。
【００３８】
すなわち、本実施形態では、特定領域を有する役物である役物合体ユニット１２０を分離／合体自在に構成し、通常遊技（第１入賞口２５または第２入賞口２６を狙っている状態）では分離している役物合体ユニット１２０を遊技球が特定領域通過（Ｖ作動）するか否かを決める前に合体させるようにしている。これにより、通常遊技においては、遊技者には見えていない特定領域を有する役物を、該特定領域に遊技球が入るか否かを決める処理が実行されるタイミングに合わせて遊技者の前に出現させることができる。よって、大当たりするか否かを決める特別なタイミングにおいて該大当たりを決めるための役物（役物合体ユニット１２０）を合体出現させることができるので、遊技者に対して現在の遊技の特別感（インパクト）を与えることができる。すなわち、大当たりを期待できる演出の際に、その大当たりを決める役物を、通常では見えない状態から遊技者の目の前で組み立てるので、通常遊技時には特定領域への遊技球の道筋が見えない遊技者に対して、その特定領域への道筋が組み上がっていく様を見せることができ、遊技者に対して高揚感をより与えることができる。
【００３９】
〔制御装置の構成〕
図５は本発明の実施形態１に係る弾球遊技機の制御系を示すブロック図である。図５に示されるように、弾球遊技機１０に搭載された制御装置２００は、羽根口制御部２１０と、役物扉開閉制御部２２０と、役物移動制御部２３０と、役物合体制御部２４０と、役物分離制御部２５０と、抽選制御部２６０とを有する。
【００４０】
羽根口制御部２１０は、羽根口駆動機構４１０に対して所定の制御信号を送信し、羽根口駆動機構４１０に上部蓋部材９２の開閉を行わせる。なお、羽根口駆動機構４１０は、羽根口制御部２１０または役物合体制御部２４０から受信した信号に基づいて、上部蓋部材９２および下部蓋部材９４の適切な方を駆動させる。すなわち、羽根口駆動機構４１０は、羽根口制御部２１０から検出信号を受信すると、受信した検出信号に応じて上部蓋部材９２の所定の開閉運動をさせる。一方、羽根口駆動機構４１０は、役物合体制御部２４０から合体完了信号を受信すると、下部蓋部材９４を開かせる。
【００４１】
さて、羽根口制御部２１０は、第１入賞口２５に設けられた第１入賞口スイッチ３１０からの検出信号が入力されると、羽根口駆動機構４１０に制御信号を１回出力する。これにより、羽根口駆動機構４１０は、遊技球導入部９０の上部蓋部材９２を上方に駆動して遊技球導入部９０の上部開口を所定時間が経過するまで開く。また、羽根口制御部２１０は、第２入賞口２６に設けられた第２入賞口スイッチ３２０からの検出信号が入力されると、羽根口駆動機構４１０に制御信号を２回出力する。これにより、羽根口駆動機構４１０は、遊技球導入部９０の上部蓋部材９２を上方に２回駆動し、遊技球導入部９０の上部開口を２回ずつ所定時間が経過するまで開く。
【００４２】
役物扉開閉制御部２２０は、遊技球導入部９０に遊技球が入ったことを検出する羽根口スイッチ３３０からの検出信号が入力されると、役物扉開閉機構４２０に液晶表示部２８を開放させる扉開制御信号を出力する。これにより、役物扉開閉機構４２０は、図４（Ｂ）に示されるように、一対の液晶パネル２８Ａ、２８Ｂを左右方向にスライドさせて役物収納室８０を開放する。
【００４３】
役物移動制御部２３０は、液晶パネル２８Ａ、２８Ｂが左右方向に開放されると、役物収納室８０から遊技盤２４の前側に前進させるための役物前進制御信号を役物ベース駆動機構４３０に出力する。これにより、役物ベース駆動機構４３０は、図４（Ｂ）に示すように、役物収納室８０に収納されたＶ振り分け装置１００を遊技盤２４の前側に移動させる。
【００４４】
役物合体制御部２４０は、移動ベース１１０が遊技盤２４の前側に前進した後、各可動部材１２０Ａ〜１２０Ｄを移動ベース１１０の周縁部から中心部に向けて移動させる役物合体制御信号を役物駆動機構４４０に出力する。これにより、役物駆動機構４４０は、各可動部材１２０Ａ〜１２０Ｄを移動ベース１１０の中心部へ移動させる。よって、各可動部材１２０Ａ〜１２０Ｄは、ガイド溝１３０Ａ〜１３０Ｄに沿って移動し、移動ベース１１０の中心部で合体する（図３参照）。
【００４５】
また、役物合体制御部２４０は、可動部材１２０Ａ〜１２０Ｄの合体により役物合体ユニット１２０が組み上げられた後において、移動ベース１１０を垂直状態から水平状態に回転させるための回転制御信号を役物ベース駆動機構４３０に出力する。これにより、役物ベース駆動機構４３０は、組みあがった役物合体ユニット１２０を有する移動ベース１１０を垂直状態（図４（Ｃ））から水平状態（図４（Ｄ））に回転させる。次いで、役物合体制御部２４０は、Ｖ振り分け装置１００が図４（Ｄ）に示す位置に設置されたことを検知すると、遊技球導入部９０にて保持された遊技球を受け入れる準備が整ったと判断し、下部蓋部材９４を開かせるための合体完了信号を羽根口駆動機構４１０に送信する。羽根口駆動機構４１０は、下部蓋部材９４を開かせて下部開口を開放し、Ｖ作動役物７０にて一旦保持された遊技球をＶ振り分け装置１００側に供給させる。
【００４６】
役物分離制御部２５０は、可動部材１２０Ａ〜１２０Ｄが合体された役物合体ユニット１２０における抽選が終了すると、役物合体ユニット１２０をバラバラ状態（分解状態）の可動部材１２０Ａ〜１２０Ｄに分解する分解制御信号を役物ベース駆動機構４３０に出力し、役物ベース駆動機構４３０に上記分解を行わせる。すなわち、制御装置２００は役物外れスイッチ３４０または役物当選スイッチ３５０にて遊技球の通過を検知されると上記役物合体ユニット１２０での抽選が終了したと判断し、役物分離制御部２５０は、上記役物後退制御信号を出力する。次いで、役物移動制御部２３０は、Ｖ振り分け装置１００を役物収納室８０に収納させるための役物後退制御信号を役物駆動機構４４０に出力する。これにより、役物駆動機構４４０は、Ｖ振り分け装置１００を役物収納室８０に移動させ、移動ベース１１０を水平状態から垂直状態に回転させる。次いで、役物扉開閉制御部２２０は、液晶パネル２８Ａ、２８Ｂをスライドさせて開いた状態の液晶表示部２８を閉じる。次いで、羽根口制御部２１０は、羽根口駆動機構４１０により下部蓋部材９４を下部開口を閉じるように制御する。
【００４７】
抽選制御部２６０は、孔部１５０Ａ〜１５０Ｃに設けられた３つの役物外れスイッチ３４０又は孔部１５０Ｄに設けられた役物当選スイッチ３５０からの検出信号の有無により抽選結果を判別する。すなわち、役物外れスイッチ３４０が遊技球を検出した検出信号を出力した場合には、抽選結果が「外れ」と判定し、役物当選スイッチ３５０が遊技球を検出した検出信号を出力した場合は、特定領域通過（Ｖ作動）であると判定する。該抽選制御部２６０により特定領域通過と判定された場合は、制御装置２００は、大入賞駆動機構４５０により大入賞口２７を所定回数だけ解放するなど大当たりに関する処理を実行する。
【００４８】
なお、条件装置（不図示）は、大当たりの成立により発動するもので、大入賞口を解放させるのに必要なものであり、抽選制御部２６０と大入賞駆動機構４５０との間に設けられている。
【００４９】
本実施形態では、役物合体ユニット１２０（可動部材１２０Ａ〜１２０Ｄ）の合体／分離について、移動ベース１１０を用いているが、これに限らない。例えば、可動部材１２０Ａ〜１２０Ｄの各々にロボットアームを接続し、役物合体ユニット１２０の組み立てタイミングの時に、ロボットアーム駆動により、通常遊技中では遊技者からは見えない場所に格納されていた可動部材１２０Ａ〜１２０Ｄが遊技者の目の前で合体して役物合体ユニット１２０が組みあがるようにしても良い。このように、本実施形態で重要なことは、通常の遊技時には分離状態のＶ振り分け装置１００を、特定の期間（特定領域通過（Ｖ作動）を決めるための期間）において、分解された要素を遊技者の目の前で合体させて組み上げることであり、これが実現できるのであれば、分解されたバラバラの要素の移動方法、そのための構造等は問わない。
【００５０】
なお、本実施形態では、通常遊技中は分離された可動部材１２０Ａ〜１２０Ｄはそれぞれ、遊技者から見えない位置に格納されているが、上記通常遊技中においても遊技者が見える箇所に格納されていても良い。
【００５１】
〔実施形態２〕
図６は本発明の実施形態２に係るＶ振り分け装置の変動動作を模式的に示す図である。図６（Ａ）に示されるように、例えば、各可動部材１２０Ａ〜１２０Ｄの孔部１５０Ａ〜１５０Ｄは、Ｖマークが記載された孔部１５０Ａに役物当選スイッチ３５０が設けられ、他の孔部１５０Ｂ〜１５０Ｄには役物外れスイッチ３４０が設けられている。この場合、遊技球が役物当選スイッチ３５０に検出されて特定領域通過（Ｖ作動）となる確率は２５％である。
【００５２】
また、実施形態２の各可動部材１２０Ｂ〜１２０Ｄには、孔部１５０Ｂ〜１５０Ｄの何れかを閉止するシャッタ機構が設けられている。図６（Ｂ）に示されるように、例えば可動部材１２０Ｃの孔部１５０Ｃの１箇所がシャッター（×で示す）で閉止されると、遊技球が役物当選スイッチ３５０に検出されて特定領域通過となる確率は３３％に増加する。図６（Ｃ）に示されるように、例えば可動部材１２０Ｂ、１２０Ｄの孔部１５０Ｂ、１５０Ｄの２箇所がシャッター（×で示す）で閉止されると、遊技球が役物当選スイッチ３５０に検出されて特定領域通過となる確率は５０％に増加する。図６（Ｄ）に示されるように、例えば可動部材１２０Ｂ〜１２０Ｄの孔部１５０Ｂ〜１５０Ｄの３箇所がシャッター（×で示す）で閉止されると、遊技球が役物当選スイッチ３５０に検出されて特定領域通過となる確率は１００％に増加する。
【００５３】
このように、役物合体ユニット１２０において、特定領域となる孔部１５０Ａ以外の３個の孔部１５０Ｂ〜１５０Ｄの少なくとも１つを閉止させることで特定領域通過の確率を変動させることが可能になる。これにより、遊技中に例えば、第１入賞口２５又は第２入賞口２６に遊技球が入ったことが検出された場合に、孔部１５０Ｂ〜１５０Ｄの各シャッタを適宜動作させて閉止させることで、特定領域通過になる確率が高められたことによる遊技者の期待感を向上させて遊技に対するモチベーションを高められる。
【００５４】
なお、上記シャッタによる孔部１５０Ｂ〜１５０Ｄの閉止を、役物合体ユニット１２０の組み上げから分離の間中行っても良いし、間欠的に行っても良い。
【００５５】
〔実施形態３〕
図７は本発明の一実施形態に係るＶ振り分け装置の変形例１を模式的に示す図である。図７に示されるように、変形例１のＶ振り分け装置１００Ａは、移動ベース１１０の平面に合体・分離可能に設けられた役物合体ユニット７００を有する。
【００５６】
役物合体ユニット７００は、８等分に分割された第１〜第８可動部材７０１Ａ〜７０１Ｈを有する。第１〜第８可動部材７０１Ａ〜７０１Ｈのうち偶数番号となる第２、第４、第６、第８可動部材７０１Ｂ、７０１Ｄ、７０１Ｆ、７０１Ｈには、遊技球が選択的に進入するための孔部１５０Ａ〜１５０Ｄが一つずつ設けられている。第２、第４、第６、第８可動部材７０１Ｂ、７０１Ｄ、７０１Ｆ、７０１Ｈは、前述した実施形態１と同様に、切欠き部と、各孔部１５０Ａ〜１５０Ｄと切欠き部と連通する貫通孔１５２Ａ〜１５２Ｄとを有する。よって、第１〜第８可動部材７０１Ａ〜７０１Ｈが合体した組み上がり状態において、孔部１５０Ａ〜１５０Ｄの何れかに入った遊技球は、前述した実施形態１と同様に、貫通孔１５２Ａ〜１５２Ｄを通過して移動ベース１１０の孔部１７０、貫通孔１８０を通過して移動ベース１１０の孔部１７０、貫通孔１８０、孔部１６０に至り、移動ベース１１０の外部に排出される。
【００５７】
さらに、各可動部材７０１Ａ〜７０１Ｈは、それぞれが図７に示すように合体した状態と、中心から放射状に移動して８分割に分解された状態（図示せず）となるように移動ベース１１０に対して移動可能にガイドされる。各可動部材７０１Ａ〜７０１Ｈは、分解時には、移動ベース１１０の平面上の外周側に移動しているが、組み上がり動作時には、所定のルールに基づいて８個の各可動部材７０１Ａ〜７０１Ｈが同時、あるいは所定の順番、あるいは乱数選択によりランダムに中心方向に移動する。
【００５８】
遊技者からみると、各可動部材７０１Ａ〜７０１Ｈの動きに予想外の変化が生じることになり、異なる動きによる様々な演出を間近で視認することができる。さらに、各可動部材７０１Ａ〜７０１Ｈが合体した後は、遊技球が貫通孔１５２Ａ〜１５２Ｄのどこに入るかによって外れか、あるいは特定領域通過（Ｖ作動）に分かれるため、より一層高揚感が高められる。
【００５９】
〔実施形態４〕
図８は本発明の一実施形態に係るＶ振り分け装置の変形例２を模式的に示す図である。図８に示されるように、変形例２のＶ振り分け装置１００Ｂは、移動ベース１１０の平面に合体・分離可能に設けられた役物合体ユニット７１０を有する。
【００６０】
役物合体ユニット７１０は、輪郭形状が星型に形成されており、五角形の中央部７１１Ａと、中央部７１１Ａの各辺に当接する三角形の第１〜第５可動部材７１１Ｂ〜７１１Ｆとを有する。中央部７１１Ａは、移動ベース１１０の平面中心に固定されている。また、第１〜第５可動部材７１１Ｂ〜７１１Ｆは、中央部７１１Ａに対して当接する合体状態、又は中央部７１１Ａから外周側に放射状に離間する分解状態となるように移動可能に設けられている。
【００６１】
第１〜第５可動部材７１１Ｂ〜７１１Ｆのうち第１〜第４可動部材７１１Ｂ〜７１１Ｅには、孔部１５０Ａ〜１５０Ｄと、孔部１５０Ａ〜１５０Ｄに連通された貫通孔１５２Ａ〜１５２Ｄが設けられている。さらに、中央部７１１Ａには、各貫通孔１５２Ａ〜１５２Ｄに連通する貫通孔１５３Ａ〜１５３Ｄが中心部から各辺に貫通している。そして、各貫通孔１５３Ａ〜１５３Ｄは、移動ベース１１０に設けられた孔部１７０、貫通孔１８０、孔部１６０に連通されている。
【００６２】
第１〜第５可動部材７１１Ｂ〜７１１Ｆが中央部７１１Ａに当接する組み上がり状態において、孔部１５０Ａ〜１５０Ｄの何れかに入った遊技球は、前述した実施形態１と同様に、貫通孔１５２Ａ〜１５２Ｄ及び１５３Ａ〜１５３Ｄの何れかを通過して移動ベース１１０の孔部１７０、貫通孔１８０、孔部１６０に至り、移動ベース１１０の外部に排出される。
【００６３】
各可動部材７１１Ｂ〜７１１Ｆは、分解時には、移動ベース１１０の平面上の外周側に移動しているが、合体動作時には、所定のルールに基づいて５個の各可動部材７１１Ｂ〜７１１Ｆが同時、あるいは所定の順番、あるいは乱数選択によりランダムに中心方向に移動して中央部７１１Ａに当接する。
【００６４】
遊技者からみると、三角形状の各可動部材７１１Ｂ〜７１１Ｅの個別の動きに予想外の変化が生じることになり、異なる動きによる様々な演出を間近で視認することができる。さらに、各可動部材７１１Ｂ〜７１１Ｅが合体した後は、遊技球が貫通孔１５２Ａ〜１５２Ｄのどこに入るかによって外れか、あるいは特定領域通過（Ｖ作動）に分かれるため、より一層高揚感が高められる。
【００６５】
尚、各可動部材７１１Ｂ〜７１１Ｅの形状としては、三角形でも良いし、あるいは半円形や四角形などの他の形状としても良い。
【００６６】
〔実施形態５〕
上述の実施形態では、第１入賞口２５または第２入賞口２６への遊技球の入賞をある意味トリガとして、Ｖ振り分け装置１００の組み立て（合体）を行っているが、第１入賞口２５または第２入賞口２６への入賞の回数に応じて、Ｖ振り分け装置１００における特定領域通過における確率を変化させても良い。この確率の変動としては、例えば、第１入賞口２５または第２入賞口２６への入賞の回数として１回目、２回目、３回目に従って、と確率を１／２０、１／１５、１／１０と段階的に上げるようにし、４回目以降は、１／２０の低確率に戻るようにしても良い。このとき、合体役物ユニットとしては、予め異なる確率１／２０、１／１５、１／１０のそれぞれに対応するものを３種類を用意しておき、例えば１、４、７・・・回目の時は確率１／２０の合体役物ユニットを登場させ、２、５、８・・・回目の時は確率１／１５の合体役物ユニットを登場させ、３、６、９・・・回目の時は確率１／１０の合体役物ユニットを登場させれば良い。あるいは、例えば、上記入賞の回数として１回目・・・６回目に従って、確率を１／２０、１／１５、１／１０、１／５、１／２、１／１と入賞回数毎に確率を段階的に上げてゆき、最後の６回目には特定領域のみを有する大当たり保証の役物合体ユニットを登場させるようにしても良い。
【００６７】
上記確率に対応する合体役物ユニットの登場の仕方としては、用いる確率分だけ対応する合体役物ユニットを個別に用意し、実施形態３と同様にして登場させても良いし、最低確率に対応する孔部を合体役物ユニットに設け、実施形態２のようなシャッタ制御により確率を制御しても良い。
【符号の説明】
【００６８】
１０  弾球遊技機
２４  遊技盤
２５  第１入賞口
２６  第２入賞口
７０  Ｖ作動役物
１００、１００Ａ、１００Ｂ  Ｖ振り分け装置
１１０  移動ベース
１２０、７００、７１０  役物合体ユニット
１２０Ａ〜１２０Ｄ、７０１Ａ〜７０１Ｈ、７１１Ｂ〜７１１Ｆ  可動部材
１３０Ａ〜１３０Ｄ  ガイド溝
１４０Ａ、１４０Ｂ  回動軸
１５０Ａ〜１５０Ｄ  孔部
【図１】
2015171485.tif 000003
【図２】
2015171485.tif 000004
【図３】
2015171485.tif 000005
【図４】
2015171485.tif 000006
【図５】
2015171485.tif 000007
【図６】
2015171485.tif 000008
【図７】
2015171485.tif 000009
【図８】
2015171485.tif 000010